(57)【特許請求の範囲】
【請求項１】
ＩＳＤＮ（サービス統合ディジタル網）における伝送路インターフェース点（ＬＩ点）とユーザ・網インターフェース点（Ｓ／Ｔ点）との間に設けられる装置であって、
ディジタル回線終端装置等のレイヤ１の終端装置のＳ／Ｔ点側と、Ｓ／Ｔ点との間において通信プロトコルを分析する通信プロトコル分析手段と、
前記通信プロトコル分析手段による分折内容から現在の回線の使用状況をリアルタイムで記録し保持するプロトコル通信状態記録手段と、
緊急通報を起動する緊急通報起動手段と、
緊急通報の発信時に、プロトコル通信状態記録手段に保持されている回線の使用状況を参照することで回線を使用中の端末の呼情報を利用し、網に切断信号を送信する第１の通信制御手段、及び、端末に切断信号を送信する第２の通信制御手段と、を備え、
前記第１及び第２の通信制御手段が、前記緊急通報の発信時に、前記網と前記端末とに対して並行して切断処理を行うことを特徴とする緊急通報装置。
【請求項２】
前記プロトコル通信状態記録手段が、レイヤ３のメッセージ中の呼番号の情報を基準として、回線の使用状況を記録し、保持することを特徴とする請求項１記載の緊急通報装置。
【発明の詳細な説明】
【０００１】
【発明の属する技術分野】
本発明は、ＩＳＤＮ（サービス統合ディジタル網）回線に接続され、複数の端末を同一回線上に接続している場合において回線の使用状況に関わらず、緊急通報呼を優先的に発信することができる緊急通報装置に関するものである。
【０００２】
【従来の技術】
災害等の緊急時に、緊急通報ボタンを押下することで予め登録してある通報先へ自動的に緊急通報を行う緊急通報装置には、通常の音声通話等を行うための端末と、１本の公衆網に対する通信回線を共用して使用するように設置されたものがある。このような従来の緊急通報装置において、公衆網回線をＩＳＤＮ回線とするものでは、緊急通報ボタンの押下によって、緊急通報を行う必要が発生した場合に、通信回線を他の端末が使用していたときには、通信中の端末を切断し、その後、緊急通報が行われる。従来の技術では、同一回線で通信中の端末を切断するために、ＬＩ点（Ｕ点；網終端装置の網側の伝送路インターフェース点）での物理的切断方式が用いられていた。この方式は、端末および網側に対しては、異常処理を起動するものであり、網が発信可能状態に復旧するには、時間が必要であり、緊急通報を即時に発信することができなかった。
【０００３】
【発明が解決しようとする課題】
本発明は、従来の技術では、通信中の他の呼の切断を、物理的に切断処理する強制断による網の異常処理を用いて行っていたために、復旧に時間がかかり、緊急通報を即時に実行できなかったものを、異常処理ではなく、正常に端末・網に対して切断処理し、切断後直ちに緊急通報を行うことができるようにする緊急通報装置を提供することを目的とする。
【０００４】
【課題を解決するための手段】
上記課題を解決するため、請求項１記載の発明は、  ＩＳＤＮ（サービス統合ディジタル網）における伝送路インターフェース点（ＬＩ点）とユーザ・網インターフェース点（Ｓ／Ｔ点）との間に設けられる装置であって、ディジタル回線終端装置等のレイヤ１の終端装置のＳ／Ｔ点側と、Ｓ／Ｔ点との間において通信プロトコルを分析する通信プロトコル分析手段と、前記通信プロトコル分析手段による分折内容から現在の回線の使用状況をリアルタイムで記録し保持するプロトコル通信状態記録手段と、緊急通報を起動する緊急通報起動手段と、緊急通報の発信時に、プロトコル通信状態記録手段に保持されている回線の使用状況を参照することで回線を使用中の端末の呼情報を利用し、網に切断信号を送信する第１の通信制御手段、及び、端末に切断信号を送信する第２の通信制御手段と、を備え、前記第１及び第２の通信制御手段が、前記緊急通報の発信時に、前記網と前記端末とに対して並行して切断処理を行うことを特徴としている。
【０００５】
また、請求項２記載の発明は、前記プロトコル通信状態記録手段が、レイヤ３のメッセージ中の呼番号の情報を基準として、回線の使用状況を記録し、保持することを特徴としている。
【０００６】
本発明は、通信プロトコル分析手段、プロトコル通信状態記録手段、及び通報制御手段を有し、通話中であっても音声等のＢチャネル通信を行う緊急通報発信があった場合には、通話を正常切断することにより、タイムラグ無く緊急通報を発信することができる点に特徴がある。その際、同一回線上の他の端末を切断処理するために、回線上で使用される呼番号や通信状態を管理し、指定する他の端末に対しては、網からの切断処理を行い、同時に網へは、端末からの切断処理を起動し、正常切断を行うようにしている。
【０００７】
【発明の実施の形態】
以下図面を参照して本発明による緊急通報装置の実施の形態について説明する。図１に本発明の緊急通報装置１００の実施の形態のブロック図を示す。図１の概要を説明すると、緊急通報装置１００のユーザ側の接点であるＳ／Ｔ点には、図示していない内線電話機インターフェース装置を介して、複数の端末が接続されている。緊急通報装置１００には、ＩＳＤＮ回線２００にＬＩ点（Ｕ点）で接続されているＤＳＵ回路（ディジタル回線終端回路）１０１と、Ｓ／Ｔ点と、ＤＳＵ回路１０１との間に介在し、制御チャネル（Ｄチャネル）上を伝送されるレイヤ３（呼制御機能；ネットワーク層）メッセージを監視するとともに入出力回線の切り替え機能を有する互いに同一機能を有する２つの網制御回路１（１０２ａ）および網制御回路２（１０２ｂ）を有する網制御部１０２と、網制御部１０２を制御する通報制御回路１０３と、網制御部１０２で監視されている通信制御信号を分析する通信プロトコル分析回路１０４と、通信プロトコル分析回路１０４で分析された呼の制御メッセージをそのメッセージに含まれる呼番号を基準として順次記憶するプロトコル通信状態記録回路１０５、緊急通報を起動するための緊急通報ボタン１０６とから構成されている。
【０００８】
以上の構成において、本実施の形態の緊急通信装置１００は、ＤＳＵ回路１０１と網制御部１０２のいずれかの網制御回路１０２ａまたは１０２ｂに接続された端末の通信プロトコルを通信プロトコル分析回路１０４で分析し、回線の使用状態を呼番号単位でプロトコル通信状態記録回路１０５で保持する。緊急の場合に、緊急通報ボタン１０６の押下や図示していないセンサによる起動によって緊急通報が起動されると、通報制御回路１０３では、プロトコル通信状態記録回路１０５より回線使用状況を取得し、例えば網制御回路１（１０２ａ）では、ネットワークへの切断処理を通信中の呼番号に対して実施し、網制御回路２（１０２ｂ）ではＳ／Ｔ点に接続された端末への切断処理を実施する。ネットワークへの切断処理が終了したのち、通報制御回路１０３は呼設定を行って緊急通報発信を行なう。
【０００９】
【発明の効果】
従来は、ＩＳＤＮ上で同一回線で通信中端末がある場合に、緊急通報を起動したときには、強制的に網をふくめ回線を物理的に切断するため、網が異常処理を行ない復旧するために時間を要していたが、本発明によれば、緊急通報を早く発信することができるという効果を得ることができる。
【図面の簡単な説明】
【図１】  本発明による緊急通報装置の一実施の形態を示すブロック図。
【符号の説明】
１００  緊急通報装置
１０１  ＤＳＵ回路
１０２  網制御部
１０２ａ  網制御回路１
１０２ｂ  網制御回路２
１０３  通報制御回路
１０４  通信プロトコル分析回路
１０５  プロトコル通信状態記録回路
１０６  緊急通報ボタン
２００  ＩＳＤＮ回線
【図１】
0003844624.tif 000002